(57)【特許請求の範囲】
【請求項１】
２つ折り状態から展開可能な開閉式メッセージカードにおいて、
展開された内側領域には、陰極層または陽極層と、該陰極層または陽極層の上に形成された電解質層と、メッセージを出力するための出力部と、前記陰極層または陽極層と前記出力部とを接続する第１接続ラインと、前記出力部から延びた第２接続ラインと、前記電解質層に当接する当接状態と前記電解質層から離間した離間状態との間で揺動自在な揺動部材とが設けられ、
前記揺動部材の前記電解質層と当接する面には、陽極層または陰極層と、該陽極層または陰極層から延びた第３接続ラインとが設けられ、
前記当接状態において前記第２接続ラインと前記第３接続ラインとが導通するように構成されていることを特徴とする開閉式メッセージカード。
【請求項２】
２つ折り状態から展開可能な開閉式メッセージカードにおいて、
展開された内側領域には、陰極層または陽極層と、メッセージを出力するための出力部と、前記陰極層または陽極層と前記出力部とを接続する第１接続ラインと、前記出力部から延びた第２接続ラインと、前記陰極層または陽極層と当接する当接状態と前記陰極層または陽極層から離間した離間状態との間で揺動自在な揺動部材とが設けられ、
前記揺動部材の前記陰極層または陽極層と当接する面には、陽極層または陰極層と、該陰極層または陽極層の上に形成された電解質層と、前記陽極層または陰極層から延びた第３接続ラインとが設けられ、
前記当接状態において前記第２接続ラインと前記第３接続ラインとが導通するように構成されていることを特徴とする開閉式メッセージカード。
【請求項３】
前記出力部は、前記メッセージを音声として出力するための音声出力部を有することを特徴とする請求項１または２に記載の開閉式メッセージカード。
【請求項４】
前記出力部は、前記メッセージを画像として出力するための画像表示部を有することを特徴とする請求項１または２に記載の開閉式メッセージカード。
【発明の詳細な説明】
【０００１】
【発明の属する技術分野】
本発明は、開閉式メッセージカードに関するものである。
【０００２】
【従来の技術】
従来、たとえば誕生日に送られるメッセージカードであって、カードを開くと光センサが反応して音声出力回路が起動し、「ハッピバースディツゥーユー・・・」のようなメロディを奏でる開閉式メッセージカードが知られている。
【０００３】
【発明が解決しようとする課題】
しかしながら、従来の開閉式メッセージカードでは、電源のＯＮ／ＯＦＦを制御するスイッチング機構として、例えば光センサ等を用いる必要があり、コスト的に高価になってしまうという不都合があった。
【０００４】
本発明は、前述の課題に鑑みてなされたものであり、従来の高価なスイッチング機構を用いることなく、簡素な構成に基づいて電源のＯＮ／ＯＦＦを制御することのできる開閉式メッセージカードを提供することを目的とする。
【０００５】
【課題を解決するための手段】
前記課題を解決するために、本発明の第１発明では、２つ折り状態から展開可能な開閉式メッセージカードにおいて、
展開された内側領域には、陰極層または陽極層と、該陰極層または陽極層の上に形成された電解質層と、メッセージを出力するための出力部と、前記陰極層または陽極層と前記出力部とを接続する第１接続ラインと、前記出力部から延びた第２接続ラインと、前記電解質層に当接する当接状態と前記電解質層から離間した離間状態との間で揺動自在な揺動部材とが設けられ、
前記揺動部材の前記電解質層と当接する面には、陽極層または陰極層と、該陽極層または陰極層から延びた第３接続ラインとが設けられ、
前記当接状態において前記第２接続ラインと前記第３接続ラインとが導通するように構成されていることを特徴とする開閉式メッセージカードを提供する。
【０００６】
本発明の第２発明では、２つ折り状態から展開可能な開閉式メッセージカードにおいて、
展開された内側領域には、陰極層または陽極層と、メッセージを出力するための出力部と、前記陰極層または陽極層と前記出力部とを接続する第１接続ラインと、前記出力部から延びた第２接続ラインと、前記陰極層または陽極層と当接する当接状態と前記陰極層または陽極層から離間した離間状態との間で揺動自在な揺動部材とが設けられ、
前記揺動部材の前記陰極層または陽極層と当接する面には、陽極層または陰極層と、該陰極層または陽極層の上に形成された電解質層と、前記陽極層または陰極層から延びた第３接続ラインとが設けられ、
前記当接状態において前記第２接続ラインと前記第３接続ラインとが導通するように構成されていることを特徴とする開閉式メッセージカードを提供する。
【０００７】
第１発明または第２発明の好ましい態様によれば、前記出力部は、前記メッセージを音声として出力するための音声出力部を有する。あるいは、前記出力部は、前記メッセージを画像として出力するための画像表示部を有することが好ましい。
【０００８】
【発明の実施の形態】
本発明の実施形態を、添付図面に基づいて説明する。
図１は、本発明の実施形態にかかる開閉式メッセージカードの構成を概略的に示す図である。また、図２（ａ）は図１の開閉式メッセージカードにおける閉じた初期状態を示す図であり、図２（ｂ）は図１の開閉式メッセージカードにおけるメッセージ出力状態を示す図である。
【０００９】
図１（ａ）を参照すると、本実施形態の開閉式メッセージカード１は、２つ折り状態から展開可能な形態を有し、展開された内側領域において２つ折り線１ａの一方の側（図中右側）の第１面１ｂと他方の側（図中左側）の第２面１ｃとを有する。そして、第１面１ｂには、たとえば亜鉛（Ｚｎ）を用いて陰極層２が形成され、陰極層２の上には、たとえば塩化亜鉛（ＺｎＣｌ2）または水酸化カリウム（ＫＯＨ）を用いて電解質層３が形成されている。
【００１０】
また、第１面１ｂには、たとえば誕生日のメッセージ（メロディを含む）を音声として出力するための音声出力部４が設けられている。さらに、第１面１ｂには、陰極層２と音声出力部４とを接続する第１接続ライン５および音声出力部４から延びた第２接続ライン６が、たとえば導電性インキを用いて印刷により形成されている。また、第１面１ｂには、シート状の揺動部材７が設けられている。
【００１１】
図１（ｂ）を参照すると、揺動部材７は、電解質層３に当接する当接状態（図中参照符号７ａで示す状態）と電解質層３から離間した離間状態（図中参照符号７ｂで示す状態）との間で揺動自在に構成されている。揺動部材７の電解質層３と当接する面には、たとえば二酸化マンガン（ＭｎＯ2）を用いて陽極層８が形成されている。
【００１２】
また、揺動部材７の電解質層３と当接する面には、陽極層８から延びた第３接続ライン９が、例えば導電性インキを用いて印刷により形成されている。ここで、第２接続ライン６と第３接続ライン９とは、揺動部材７の当接状態において導通するように設定されている。一方、第２面１ｃには、２つ折り線１ａに沿って折り畳んだ状態で、粘着性を有する電解質層３を剥離容易に覆うための剥離用フィルム１０が設けられている。
【００１３】
本実施形態の開閉式メッセージカード１は、図２（ａ）に示すように、２つ折り線１ａに沿って折り畳まれた初期状態で届けられる。この初期状態から２つ折り線１ａに沿って開閉式メッセージカード１を展開すると、図１（ａ）に示すように、揺動部材７は電解質層３から離間した離間状態（図１（ｂ）中参照符号７ｂで示す状態）にある。すなわち、陰極層２と電解質層３と陽極層８とで構成されるべきペーパー状のバッテリーが形成されていないため、音声出力部４は電力供給を受けることなく作動しない。
【００１４】
次いで、図２（ｂ）に示すように、電解質層３に当接する当接状態（図１（ｂ）中参照符号７ａで示す状態）まで揺動部材７を揺動させて指で軽く押圧すると、粘着性を有する電解質層３と陽極層８とが貼り合わされた状態になる。この状態では、陰極層２と電解質層３と陽極層８とで構成されるべきペーパー状のバッテリーが形成され、且つ陽極層８と音声出力部４との接続が初めて導通状態になる。その結果、バッテリーからの電力供給を受けた音声出力部４が作動を開始し、誕生日のメッセージが流れる。
【００１５】
誕生日のメッセージを聞き終わると、電解質層３から離間した離間状態まで揺動部材７を揺動させた後、２つ折り線１ａに沿って再び折り畳んで初期状態に戻す。こうして、本実施形態の開閉式メッセージカード１では、従来の高価なスイッチング機構を用いることなく、粘着性を有する電解質層３と陽極層８との貼り合わせという簡素な構成に基づいて、ペーパー状のバッテリーを形成するか否かによって、電源のＯＮ／ＯＦＦを制御することができる。
【００１６】
なお、本実施形態において陰極層２と電解質層３と陽極層８とで構成されるべきペーパー状のバッテリーとして、たとえば特表２０００−５０２２０６号公報に開示されたバッテリーを用いることができる。
【００１７】
また、上述の実施形態では、第１面１ｂに陰極層２を形成し揺動部材７に陽極層８を形成しているが、これに限定されることなく、第１面１ｂに陽極層８を形成し揺動部材７に陰極層２を形成することもできる。
【００１８】
さらに、上述の実施形態では、陰極層２の上に電解質層３を形成しているが、これに限定されることなく、陽極層８の上に電解質層３を形成することもできる。すなわち、揺動部材７に形成した陽極層８の上に電解質層３を形成してもよいし、第１面１ｂに形成した陽極層８の上に電解質層３を形成してもよい。
【００１９】
また、上述の実施形態では、第２面１ｃに剥離用フィルム１０を設けているが、第２面１ｃ自体が粘着性を有する電解質層３を剥離容易に覆う特性を有する場合には剥離用フィルム１０の設置を省略することもできる。
【００２０】
さらに、上述の実施形態では、メッセージを出力するための出力部として、メッセージを音声として出力するための音声出力部４を用いているが、これに限定されることなく、たとえばメッセージを画像として出力するための画像表示部を用いることもできる。
【００２１】
【発明の効果】
以上説明したように、本発明では、従来の高価なスイッチング機構を用いることなく、簡素な構成に基づいて電源のＯＮ／ＯＦＦを制御することのできる開閉式メッセージカードを実現することができる。
【図面の簡単な説明】
【図１】本発明の実施形態にかかる開閉式メッセージカードの構成を概略的に示す図である。
【図２】（ａ）は図１の開閉式メッセージカードにおける閉じた初期状態を示す図であり、（ｂ）は図１の開閉式メッセージカードにおけるメッセージ出力状態を示す図である。
【符号の説明】
１  開閉式メッセージカード
２  陰極層
３  電解質層
４  音声出力部
５  第１接続ライン
６  第２接続ライン
７  揺動部材
８  陽極層
９  第３接続ライン
１０  剥離用フィルム
【図１】
0004657538.tif 000002
【図２】
0004657538.tif 000003